Podtech/llm-jp-corpus-v4-ja_patent huggingface dataset:
(57)【特許請求の範囲】
【請求項１】
上リングと下リングで形成される空間にリング状の軟質シートを、上リングまたは下リングのいずれにも接着固定することなく挟み込んで保持したことを特徴とするトラックボール用ゴミ除けリング。
【発明の詳細な説明】
【０００１】
【発明の属する技術分野】
本発明はトラックボールに関する。
【０００２】
【従来の技術】
マウス等においてゴミ除去の手段のためにボールの周辺にはシート又はブラシ、フェルト等の部材を固定しボールと接触させていた。
【０００３】
【発明が解決しようとする課題】
そのため従来のトラックボールはボールと接触しているゴミ除去部材が本体に固定されているため従来部材とボールとの間で接触ムラが発生し、（１）ボール回動起動時の操作力が重い、また（２）回動方向により操作力のバラツキが大きいという欠点があった。
【０００４】
本発明の目的は、従来の欠点を解消しボールに付いたゴミ除去を簡単な構成で可能にするトラックボール用ゴミ除けリングを提供することにある。
【０００５】
【課題を解決するための手段】
この目的を達成するため、本発明の構成を以下のようにした。
（１）上リングと下リングの間に、リング状の軟質シートを可動可能に挟み込んで上下リングを固定する。
（２）さらに、下リングの上側内円の寸法より上リングの下側内円の寸法が大きくなるよう構成しておく。
（３）ボール部がどの方向に回動してもリング状の軟質シートの内円縁がボール部により接触して上方向に曲がっている状態にしておく。
【０００６】
【発明の実施の形態】
図1は本発明に関するトラックボールの一部拡大断面図、図２は上リング、図３は軟質シート、図４は下リング、図５はリング組立体、図６は軟質シートの図示を省略したリング組立体の一部拡大断面図、図７はリング組立体の一部拡大断面図、図８（１）はリング組立体を取り付けたトラックボールの平面図、図８（２）は、図８（１）の正面図である。
１はトラックボールのボール、２は上リング、３は軟質シート、４は下リング、５はリング組立体、６はトラックボールの上カバー、７は下カバーである。
【０００７】
次にリング組立体の組立方法を説明する。
まず、下リング４の真中に軟質シート３を置き、次に下リング４の凹み部４１に接着剤を付け上リング２を下リング４の凹み部４１に押付ける。すると下リングと上リングが固定される。軟質シート３は下リング４の真中に置かれていたので必然的に上リング２の軟質シート格納用中空部２１に配置される。よって、本発明の特徴である軟質シート３は下リング４と上リング２の軟質シート格納用中空部２１の間に可動可能に挟まれたようになる。
【０００８】
本願トラックボールの構造に関する他の特徴は、軟質リング３が接触する上リング２の下側内円が下リングの上側内円より大きくしてあるということである。図６において、上リング２の下側内円周縁２２は、下リングの上側内円周縁４２より左側、すなわちリング組立体の中心より外側となっている。このことにより上リング２と下リング４の間にある軟質シート３は上方には曲がり易いが下方には曲がらない構造となっている。
【０００９】
次にリング組立体５をトラックボールの上カバー６に取り付ける方法を示す。なお、上記の説明及び関連図面において、上リング２にある爪２３の記載を省略している。またリング組立体５を上カバー６に約3分の１回転して固定する下リングの構造の記載を省略している。
上、下カバーの内部にボール１を置き、上方からリング組立体５を上カバー６との勘合部に配置し、上リング２に設けられた爪２３を約３分の１時計回りに回転することでリング組立体５と上カバー６が固定され、図８のようなトラックボールとして完成となる。
【００１０】
組み立てられたトラックボールは、図１に示すようにトラックボールのボール１がリング組立体５の軟質シート３の内円周縁３１を押し上げることになる。ここで上カバー２の下側から上側に向かい内円の径が段々狭くなっており、軟質リングの内円周縁３１が上リング２の内円の径の変化に沿った角度で上方を向くような構成としている。この図１の状態でボール部がリング組立体５のある一点から見て上方向に回動した場合は上記図１の状態を維持し、ボールが下方向に回動した場合にも、下リング４の上側内円周縁４２がボール１に近く配置されているので下リング４の軟質シート３が下方に曲げられたりすることがない。
【００１１】
ここでは軟質シート３がボール１の回動の方向に関わらず，常に第1図のようになっているためボール１に付いたゴミを取り除き易くなっている。
また軟質シートはフリーで搭載のためにボール１とボール全周に渡り隙間なく且つ均等な押付け力で接触する。そのため（１）ボール回動起動時から操作時のボール操作力が安定する。（２）操作方向による操作力のバラツキが少ない。（３）簡易防水効果が期待できる。
【００１２】
リング組立体5を上カバー6から取り外すには、リング組立体5の爪23を約3分の1反時計回りに回転すると下リング4と上カバー6の嵌合が解かれて離脱する。ボール1を上方から取り外して清掃することもできる。
【００１３】
本実施例では上リングと下リングの固定は接着剤を使用して行ったが、超音波溶着等で行ってもよい。また上記実施例の説明では、上リングに軟質シートが収まる軟質シート格納用中空部２１を設けたが、下リングの凹み部４１の中に軟質シートが収まる中空部を設けてもよい。さらに、軟質シートはテフロンシート等の樹脂系シート、ゴムシート、エラストマー等であってもよい。
【００１４】
【発明の効果】
本発明の効果としては、次のようである。（１）ボール回転起動時から操作時のボール操作力が安定する。（２）操作方向による操作力のバラツキが少ない。（３）簡易防水効果が期待できる。
【図面の簡単な説明】
【図１】本発明に関するトラックボールの一部拡大断面図
【図２】上リング
【図３】軟質シート
【図４】下リング、
【図５】リング組立体、
【図６】軟質シートの図示を省略したリング組立体の一部拡大断面図
【図７】リング組立体の一部拡大断面図
【図８】リング組立体をセットしたトラックボール
【符号の説明】
１  トラックボールのボール
２  上リング
３  軟質シート
４  下リング
５  リング組立体
６  上カバー
７  下カバー
【図１】
0004022664.tif 000002
【図２】
0004022664.tif 000003
【図３】
0004022664.tif 000004
【図４】
0004022664.tif 000005
【図５】
0004022664.tif 000006
【図６】
0004022664.tif 000007
【図７】
0004022664.tif 000008
【図８】
0004022664.tif 000009
(57)【特許請求の範囲】
【請求項１】
鎮痒成分および粒径０．１５〜０．５ｍｍのリン酸水素カルシウムを含有し、皮膚に塗布することを特徴とする鎮痒剤組成物。
【発明の詳細な説明】
【０００１】
【産業上の利用分野】
本発明は鎮痒剤組成物、詳しくは皮膚へ塗布すると速効かつ強力な鎮痒効果が得られる鎮痒剤組成物に関するものである。
【０００２】
【従来の技術】
蚊などの虫に刺されると激しい痒みが生じる。これに対応する従来の鎮痒剤薬としては、抗ヒスタミン剤、局所麻酔剤および皮膚刺激剤を配合したクリーム剤、液剤および水性ゲル剤が用いられている。
【０００３】
【発明が解決しようとする課題】
しかしながら、これらの薬物が鎮痒効果を発現するためには、薬物が皮膚を透過して作用部位に到達しなければならず、作用発現までに時間がかかる。そのため実際にはほとんど鎮痒効果がなく、痒みをがまんできず皮膚を掻き壊して、皮膚の状態を悪化させてしまう。
【０００４】
【課題を解決するための手段】
本発明者らは、この欠点を改善するため、粉粒体を含有する鎮痒剤組成物について種々検討した結果、粉粒体の種類、大きさ、形およびかたさが鎮痒効果に大きく影響し、ある特定の粉粒体を使用すると強力な鎮痒効果を発揮することを見いだし本発明を完成した。
【０００５】
すなわち本発明は、鎮痒成分と粒径０．０１〜１．０ｍｍのリン酸水素カルシウムを含有することを特徴とする鎮痒剤組成物である。以下に本発明の成分についてさらに詳細に説明する。
【０００６】
本発明に用いられるリン酸水素カルシウムは、手、指等の塗布または塗擦で崩壊しないかたさを持ち、角ばった形の粉粒体であり、その粒径は０．０１〜１．０ｍｍであることが必要であり、特に好ましい粒径は０．１５〜０．５ｍｍである。これより小さいと十分な鎮痒効果が得られず、これより大きいと使用感が好ましくない。また、この粉粒体は適用時に手や指によって患部に擦りつけても、皮膚を損傷してはならない。その配合量は鎮痒剤組成物全体に対して０．５〜１５重量％が好ましく、特に好ましくは３〜１０重量％である。
【０００７】
本発明に用いられる鎮痒成分としては、酢酸ハイドロコーチゾン、酢酸デキサメタゾン、酢酸プレドニゾロン等の各種ステロイド剤、インドメタシン、イブプロフェン、ブフェキサマック等の非ステドイド系抗炎症剤、塩酸ジブカイン、リドカイン、アミノ安息香酸ナトリウム等の局所麻酔剤、塩酸ジフェンヒドラミン、マレイン酸クロルフェニラミン、塩酸イソチペンジル等の抗ヒスタミン剤、塩酸クロルヘキシジン、塩化デカリニウム、イソプロピルメチルフェノール等の殺菌剤、トウガラシチンキ、ｄｌ−メントール、ｄｌ−カンフル、サリチル酸メチル等の皮膚刺激剤、その他アラントイン、グリチルレチン酸、グリチルリチン酸ジカリウム等の抗炎症作用を有する化合物、クロタミトン等の鎮痒作用を持つ化合物があげられる。これらは単独または２種以上を組み合わせて用いることができ、その配合量は鎮痒剤組成物全体に対して０．０１〜１０重量％が好ましい。
【０００８】
さらに本発明の鎮痒剤組成物には、上記成分の他に外用剤に一般に用いられる添加物を配合することができる。この様な成分の例としては、ポリオキシエチレン硬化ヒマシ油等の界面活性剤、エタノール、イソプロピルアルコール等のアルコール類、プロピレングリコール、ジプロピレングリコール、ポリプロピレングリコール、ブチレングリコール、エチレングリコール、ポリエチレングリコール、グリセリン等の多価アルコール類、カルボキシビニルポリマー等のゲル化剤、アンモニア水、ジイソパノールアミン等の中和剤、リン酸塩、クエン酸塩、亜リン酸塩、酢酸塩等のｐＨ調節剤、ジブチルヒドロキシトルエン、ブチルヒドロキシアニソールなどの抗酸化剤、パラオキシ安息香酸メチル、パラオキシ安息香酸プロピルなどの防腐剤、香料、水等が含まれる。
【０００９】
また、本発明の鎮痒剤組成物はクリーム剤、ゲル剤、液剤等の各種の外用剤とすることができる。
【００１０】
【発明の効果】
本発明の鎮痒剤組成物は、特定の粒径、かたさおよび形の粉粒体を含有し、適用時に手や指によって患部に擦りつけることにより強力な鎮痒効果を発揮し、しかも皮膚を損傷することがない。
【００１１】
【実施例】
以下に実施例を挙げて更に詳細に説明する。
【００１２】
実施例１
エタノール４１．４重量部とポリオキシエチレン硬化ヒマシ油２重量部の混合液に、塩酸ジブカイン０．３重量部、ジフェンヒドラミン１重量部、ｄｌ−メントール３．５重量部およびｄｌ−カンフル２重量部を加え溶解した。これを水２７．３重量部にカルボキシビニルポリマー１．５重量部を分散させた液に加えて攪拌混合し、ジイソプロパノールアミン１．０重量部を水１０重量部で希釈した液を徐々に加えて中和した。その後、平均粒子径０．２５ｍｍのリン酸水素カルシウム１０重量部を加え、鎮痒剤組成物を得た。
【００１３】
実施例２
塩酸イソチベンジル０．７５重量部、塩酸ジブカイン０．３重量部、塩化デカリニウム０．１重量部、アンモニア水１．５重量部、ｄｌ−メントール１重量部およびｄｌ−カンフル２重量部をエタノール３５重量部に溶解し、カルボキシビニルポリマー０．４重量部を水４８．９５重量部に混合分散させた液に加えて攪拌混合した。これに平均粒子径０．２５ｍｍのリン酸水素カルシウム１０重量部を加え、鎮痒剤組成物を得た。
【００１４】
比較例１、２
実施例１および２からリン酸水素カルシウムを取り除いて調製した鎮痒剤組成物を各々比較例１、２とした。
【００１５】
試験例１
健康な成人女性５名を被験者とし、前腕の経表皮水分喪失量（以下ＴＷＬと略記する）をエバポリメーターＥＰ−１０（Servo Med社製）を用いて測定した。 実施例１および比較例１を各々２分間塗布した後、塗布部を水で洗浄した。塗布前と塗布６０分後のＴＷＬを各々測定した結果を図１に示す。
【００１６】
この結果、実施例１および比較例１のＴＷＬは同程度であり、本発明のリン酸水素カルシウムの粉粒体を含有した鎮痒剤組成物が皮膚を損傷しないことを確認した。
【００１７】
試験例２
健康な成人男性５名を被験者とし、手の甲に直径５ｍｍ程度の穴を開けたゴム手袋を着用し、蚊（ヒトスジシマカ雌成虫）の入ったケージに手を差し込み、蚊１匹に吸血させた。吸血後に手をケージから抜き手袋を外し、痒みがスコア３になったら、実施例１、２および比較例１、２の鎮痒剤組成物を３０μｌ取り、約２分間患部をマッサージするように塗布した。適用後、一定時間毎に痒みの程度を自己判定した。痒みの判定基準を表１に、結果を表２に示す。
【００１８】
【表１】
0004022675.tif 000002
【００１９】
【表２】
0004022675.tif 000003
【００２０】
この結果より、本発明の鎮痒剤が痒みを速やかに取り除くことを確認した。
【図面の簡単な説明】
前腕の経表皮水分喪失量（ＴＷＬ）の測定結果を示すものである。
【図１】図１は、実施例１および比較例１で得た組成物を前腕に塗布洗浄後のエバポリメーターＥＰ−１０による経表皮水分喪失量の測定結果である。
【図１】
0004022675.tif 000004
(57)【特許請求の範囲】
【請求項１】
カテーテル（３）の内部に、シリンジ（６）を備えたクダの先端にカテーテルの先端部の拡張のためのバルーンを備えたエアー挿入クダ（４）と吸い寄せクダ（７）とを備え、エアー挿入クダ（４）と吸い寄せクダが一体成型されている事を特徴とする（図１）尿管結石挟み込み回収装置。
【請求項２】
カテーテル（３）の先端部を３等分にし（図６）切込みを５ｍｍ以上２０ｍｍ以下にする事を特徴とする請求項１記載の尿管結石挟み込み回収装置。
【発明の詳細な説明】
【技術分野】
【０００１】  本発明は尿管結石挟み込み回収装置に関する。
【背景技術】
【０００２】従来の尿結石及び異物回収具方法として特許文献１〜特許文献９の類似９件が存在する
【特許文献１】特開昭６２−６０５４４（尿結石摘出器具）
【特許文献２】特開昭６２−１９２１４８（結石用鉗子装置）
【特許文献３】特開  ２００１−３１４４０９（異物回収具）
【特許文献４】実開昭６０−４５００９（内視鏡用バスケット鉗子）
【特許文献５】実開昭６２−８４４０７（把持鉗子）
【特許文献６】実開平０１−１０７３１１（内視鏡用鉗子腔）
【特許文献７】実開平０２−６０１２（内視鏡用異物回収具）
【特許文献８】実開平０２−１４９２１１（体腔内異物回収具）
【独国特許９】
出願公開第１５６６１４７号明細書
【０００３】  尿管結石回収装置の背景技術として、バルーン拡張装置を備えた特許文献７実開平０２−６０１２内視鏡用異物回収具がありカテーテルの外側を拡張する装置となっている、本発明はカテーテルの内側を拡開する装置であり、カテーテルを拡開することにより結石を挟み込み回収を容易にする、特許文献１から特許文献８の案件との大きな違いである、独国特許出願公開第１５６６１４７号明細書とはバルーンとシリンジの使用が似ているようですが、上記の記載にもあるように、本発明バルーンにてカテーテルの内側を拡開する装置ある、独国特許出願公開第１５６６１４７号明細書はカテーテルの外側を拡張する装置となっている、本発明のシリンジ（９）は結石を吸い寄せる装置であり、独国特許出願公開第１５６６１４７号明細書とは大きな違いである。特許文献９の案件のなかにカテーテルの内側を拡張する装置と結石を吸い寄せる装置一体型の案件が見当たらない。
【０００４】  この改善策として、尿管結石鋏み込み回収装置を使用する事により結石を粉砕せずカテーテルにてソフトに挟み込み尿管や尿道に傷を付けずに回収することが出来る。
【発明の開示】
【発明が解決しようとする課題】
【０００５】  解決しようとする問題点は、結石が尿管にある間痛み止めの注射や座薬などの薬を使用し血尿と激痛に耐えなければならない、解決するためには、尿管結石を簡単な装置で取り除き早期に治療が出来激痛から開放されることと高額医療費の軽減にあった。
【課題を解決するための手段】
【０００６】  本発明は、結石を挟み込み回収を容易にするため、カテーテルの拡張装置のバルーン及びシリンジ（６）と、結石を吸い寄せるクダ及びシリンジ（９）の装置の一体型のクダを、尿管に挿入し、先端部のクダをシリンジ（９）で結石を吸い寄せる装置を作動させ後にバルーンに加圧し結石を受け入れを容易なるように拡張することにより、カテーテルも同時に拡開し結石がカテーテルの受け入れの状態を確認後、一体型のクダをカテーテル内に結石を吸い寄せた状態で、引き込みバルーンを減圧し結石を挟み込み回収を容易にする発明である。
【発明の効果】
【０００７】  本発明の挟み込み回収装置を使用する事により、カテーテルに結石が保護され、尿管や尿道に傷を付けないように取り出され、激痛から解放され１〜２時間後に普通の健康体に回復、また診療時間も大幅に短縮され又高額医療費の削減につながる。
【本発明を実施するための最良の形態】
【０００８】  尿管結石挟み込み回収装置はカテーテル及び拡張装置のクダシリンジ（６）は外部より先端部のバルーンに空気圧を加え同時にカテーテルも拡開する、シリンジ（９）のクダは分岐部１０の中を介しバルーンの先端より結石を吸い寄せる装置の一体成型クダである。
【実施例１】
【０００９】図１は、請求項１の説明図あり、カテーテルと拡張装置のクダとシリンジ（６）、結石を吸い寄せるシリンジ（９）装置の断面図である。
【実施例２】
【００１０】図２は、本発明装置の尿管結石挟み込み回収装置をＸ線画面で観察しながら尿管に挿入した形態の断面図である。
【実施例３】
【００１１】図３は、拡張装置を結石の手前まで挿入し結石を吸い寄せの断面図である。
【実施例４】
【００１２】図４は、結石の大きさに合わせて加圧拡開したカテーテルの中に、結石を取り入れた状態の断面図である。
【実施例５】
【００１３】図５は、エアー挿入クダとバルーンの一体型をカテーテルの内部に結石を吸い寄せながら引き込み同時に外部より拡張装置シリンジ（６）でバルーンの空気圧を減圧同時にカテーテルを収縮し閉じる事により、結石を挟み込み回収する断面図である。
【実施例６】
【００１４】図６は、結石をカテーテル内に取り込みを容易にするためカテーテルの先端部を３等分にした断面図である。
【図面の簡単な説明】
【００１５】
【図１】  請求項１の説明図である。装置挿入時の断面図。
【図２】  尿管結石挟み込み回収装置挿入時の断面図である。の断面図
【図３】  挿入時の拡張装置吸い寄せの、拡張前の断面図である。
【図４】  加圧拡開させ尿管結石を取り入れた断面図。
【図５】  減圧し結石を挟み込み回収するカテーテルの断面図である
【図６】  カテーテルの先端部を３等分にした断面図である
【符号の説明】
【００１６】１    尿道
２    尿管結石
３    カテーテル
４    バルーンエアー挿入クダ
５    バルーン
６    バルーン用シリンジ
７    吸い寄せクダ
８    吸い寄せ口
９    吸い寄せ用シリンジ
１０  分岐部
１１  ３等分
１２  ３等分の切り込み
【図１】
0004022647.tif 000002
【図２】
0004022647.tif 000003
【図３】
0004022647.tif 000004
【図４】
0004022647.tif 000005
【図５】
0004022647.tif 000006
【図６】
0004022647.tif 000007
(57)【特許請求の範囲】
【請求項１】
炉内面が円形で、この円形の中心を中心として回動自在な転炉において、溶錬すべき原料を投入または排出する炉口のガス供給側内壁にオーバーハング部を設け、溶錬すべき原料を投入または排出する炉口のガス供給側と反対側内壁に炉口に向って次第に傾斜する傾斜部を設け、上記オーバーハングによって形成される内壁の延長線が上記傾斜部と交わることを特徴とする転炉。
【発明の詳細な説明】
【０００１】
【発明の属する技術分野】
本発明は、金属を乾式製錬により得るために用いる炉、特に銅製錬におけるＰ．Ｓ．型転炉に関するものである。
【０００２】
【従来の技術】
鉱石より銅を製錬する銅製錬においては、自溶炉等から排出される銅、鉄が混在した硫化物を転炉に移し、転炉にて添加剤を投入し、酸素を含むガスを吹き込み、粗銅を生成すると共に、銅以外の不純物をスラグなどに浮遊させ除去している。用いられる炉としては横型、縦型の転炉があり、代表的なものとして、Prith・Smith型転炉があり、多くの銅製錬所で用いられている。
【０００３】
図２は従来の転炉の炉壁１の縦断面を示し、２は炉壁１を構成する煉瓦、３は溶錬すべき原料を投入または排出する炉口、４はガス供給手段、５は内壁である。
【０００４】
転炉内に投入された硫化銅と、酸素を含むガスとの反応を良くするため、転炉の溶湯内へ直接ガスを吹き込み、溶湯を撹拌している。
【０００５】
【発明が解決しようとする課題】
しかし、ガスの吹きこみによる撹拌により炉内での金属溶湯の動きを完全に制御するのは難しく炉の炉口を通り抜けて中の溶湯の一部が外部に飛散することがあり、原料ロス等、コスト増への影響があった。
【０００６】
また、ガスの吹きこみ量を減らすと当然ながら操業時間が延び、熱保持のため燃料、添加剤などのコストがかかるなどの欠点がある。
【０００７】
【課題を解決するための手段】
本発明の転炉は、炉内面が円形で、この円形の中心を中心として回動自在な転炉において、溶錬すべき原料を投入または排出する炉口のガス供給側内壁にオーバーハング部を設け、溶錬すべき原料を投入または排出する炉口のガス供給側と反対側内壁に炉口に向って次第に傾斜する傾斜部を設け、上記オーバーハングによって形成される内壁の延長線が上記傾斜部と交わることを特徴とする。
【００１０】
【発明の実施の形態】
以下図面によって本発明の実施例を説明する。
【００１１】
本発明においては、図１に示すように炉口の内壁５に、炉口３付近で最大となる（内壁半径が最小になる）オーバーハング部６を形成する。
【００１２】
炉内に金属溶湯を投入し、ガス供給口よりガスを炉内へ吹きこむと、金属とガスとの比重差、粘性差によりガスは金属へ全て分散できず、炉の内壁５にそって上昇する。
【００１３】
このため炉内の金属溶湯７はガス供給側では上方にそり上がり、反対側の金属溶湯７は静置状態より液面が下がってしまう。炉内で内壁５に沿って上昇した金属溶湯７は、炉内が略円形であるためそのまま円運動となり、回転するように炉内を循環する、このようにして金属溶湯７が撹拌される。
【００１４】
炉内での金属溶湯７は、炉口３付近では、予め縮径された内壁５に略沿って流れるため、炉口３に達した金属溶湯７は、オーバーハング部６の延長上と交わる内壁５に当たる。
【００１５】
ここでの位置は、炉口３より下方になるため金属溶湯７の飛散は抑制させる。
【００１６】
本発明の他の実施例においては、上記オーバーハング部６を形成することなく、または、上記オーバーハング部６に加えて、上記炉口３の上記ガス供給側と反対側の内壁５に炉口３に向って次第に傾斜する傾斜部８を設ける。
【００１７】
この実施例によれば金属溶湯７を出し易く、または金属溶湯７を投入しやすくなり、上記の循環している金属溶湯７の流れをよりスムーズにし、炉の内壁５と金属溶湯７が衝突するときの衝突角を鈍化し、金属溶湯７の飛散を抑制することができる。
【００１８】
なお、この傾斜部８となる始点は、循環してくる金属溶湯７があたる場所よりも炉口３より遠くにすることが望ましい。
【００１９】
上記の構成により、金属溶湯７の飛散もなく、炉内の金属溶湯７の撹拌も効率よく実施可能となる。
【００２０】
上記傾斜部８が上記オーバーハング部６と併設せしめる場合には、上記オーバーハング６部によって形成される内壁５の延長線が上記傾斜部８と交わるようにするのが好ましい。
【００２１】
【発明の効果】
上記のように本発明によれば、転炉内での金属溶湯の挙動が極めて安定となり、炉口からの金属溶湯の飛散もなくなり、また、排出側に傾斜をつけることでさらに炉外への金属溶湯の排出が安定し、炉内に残る金属溶湯が減るようになる利益がある。
【図面の簡単な説明】
【図１】本発明の炉の一部の縦断面図である。
【図２】従来の転炉の一部の縦断面図である。
【符号の説明】
１  炉壁
２  煉瓦
３  炉口
４  ガス供給手段
５  内壁
６  オーバーハング部
７  金属溶湯
８  傾斜部
【図１】
0004022415.tif 000002
【図２】
0004022415.tif 000003
(57)【特許請求の範囲】
【請求項１】
金属枠体内に濾材パックを収容してなるエアフィルタの金属枠体流出側開口部に、基材シートに粘着剤を塗布した汚染防止シートを貼着してなるエアフィルタであって、前記粘着剤を、２００ｇ／２５ｍｍ以上６００ｇ／２５ｍｍ未満の粘着力を有するものとし、前記基材シートの外周に沿って３ｍｍ以上５ｍｍ未満の貼り代で設けたことを特徴とするエアフィルタ。
【請求項２】
前記基材シートは低密度ポリエチレンであり、前記粘着剤はアクリル系粘着剤であることを特徴とする請求項１記載のエアフィルタ。
【発明の詳細な説明】
【０００１】
【発明の属する技術分野】
本発明は、半導体生産用クリーンルーム等の超清浄度空間を作り出すために使用されるエアフィルタに関する。
更に、詳しくは、クリーンルームに設置されてクリーンルーム稼働（通風開始）までの間、エアフィルタが汚染されるのを防止するための汚染防止シートを貼着されたエアフィルタに関する。
【０００２】
【従来の技術】
従来は、クリーンルーム等の超清浄度空間を作り出すために用いられるエアフィルタは、エアフィルタ全体を覆うように汚染防止用のシートを巻き付けるか、そのシートを粘着テープで固定するという方法がとられていた。
【０００３】
【発明が解決しようとする課題】
前記シートを巻き付ける方法は、汚染防止の観点からは、確実性の高い方法であるが、シートの取り外し作業に手間がかかるという不都合を有していた。
そこで、エアフィルタの金属枠体の流出側開口部にだけ、基材シートに粘着剤を塗布した汚染防止シートを貼着して汚染を防止することが考えられる。
しかしながら、この種のエアフィルタにおいては熱伝導率の大きな金属製の枠体を用いることが多く、温度変化のある環境下においても、クリーンルームの稼働前までは確実に汚染防止シートが金属枠体に貼着されてエアフィルタの汚染が防止され、稼働時には金属枠体から簡単に剥がせるようにすることができなければ実用化できないものであった。
【０００４】
【課題を解決するための手段】
そこで、本発明は温度差によるシート基材の収縮力と、粘着力のバランスを定量的に考察し、フィルタ設置後、クリーンルーム稼働まで確実にエアフィルタの金属枠体に貼着しており、稼働時には剥がしやすい汚染防止シートを備えたエアフィルタを提供することを目的とする。
本発明のエアフィルタはかかる目的を達成するため、金属枠体内に濾材パックを収容してなるエアフィルタの金属枠体流出側開口部に、基材シートに粘着剤を塗布した汚染防止シートを貼着してなるエアフィルタであって、前記粘着剤を、２００ｇ／２５ｍｍ以上６００ｇ／２５ｍｍ未満の粘着力を有するものとし、前記基材シートの外周に沿って３ｍｍ以上５ｍｍ未満の貼り代で設けたことを特徴とする。
また、請求項２記載のエアフィルタは、前記基材シートは低密度ポリエチレンであり、前記粘着剤はアクリル系粘着剤であることを特徴とする。
【０００５】
【実施例】
図１は本発明エアフィルタの一実施例の空気流出側開口部側から見た正面図である。
図示のエアフィルタ１は通常のＨＥＰＡフィルタであって、アルミ製の金属枠体２内に濾材パック３を収容してなるものであり、金属枠体２の外周に沿ってガスケット４が設けてある。
図中１０は汚染防止シートであって、厚み５０μｍの低密度ポリエチレンシートからなる基材シート１１に粘着力が１００〜６００ｇ／２５ｍｍの範囲のアクリル系粘着剤１２を基材シートの外周に沿って１〜１０ｍｍの巾の貼り代１３でもって塗布し、無空調、温度差−１．５〜２１℃の雰囲気下で貼着性について試験した。
その結果を、下記表１に示す。
【０００６】
【表１】
0004022307.tif 000002
【０００７】
表中の評価は次の通りである。
○：必要時までは剥がれず、必要時には剥がしやすい
△：必要時までは剥がれず、必要時には剥がしづらい
×：必要時までに剥がれてしまう
表１から明らかなように、必要時までに剥がれないようにするには、粘着剤の粘着力を２００ｇ／２５ｍｍ以上とし、貼り代を３ｍｍ以上とすることが必要であることがわかる。また、必要時までは剥がれず、必要時には剥がしやすいようにするには、粘着力を６００ｇ／２５ｍｍ未満とし、貼り代を５ｍｍ未満とすることが必要であることがわかる。
【０００８】
前記金属枠体としては、アルミの他に、ステンレス等が使用される。
【０００９】
また、前記汚染防止シートを構成する基材シートとしては、塩素が入っていないため焼却時のダイオキシンの発生がないという無公害の観点から低密度ポリエチレンシートの使用が好ましい。
また、粘着剤としては、アクリル系粘着剤の使用が好ましい。
【００１０】
【発明の効果】
このように、本発明によれば、フィルタ設置後、クリーンルーム稼働まで確実にエアフィルタの金属枠体に貼着しており、稼働時には剥がしやすい汚染防止シートを備えたエアフィルタが提供される。
【図面の簡単な説明】
【図１】本発明エアフィルタの一実施例の空気流出側から見た正面図
【符号の説明】
１  エアフィルタ
２  金属枠体
３  濾材パック
４  ガスケット
１０  汚染防止シート
１１  基材シート
１２  粘着剤
１３  貼り代
【図１】
0004022307.tif 000003
(57)【特許請求の範囲】
【請求項１】
前幅の４５〜８０％の幅のフロントパネル１の両脇に、脇部２と一体となった後身頃３が取り付けられており、フロントパネル１の両脇に、脇部２の上方を覆うように、ゴム弾性ある翼状の布４が取り付けられており、かつ後幅の９０〜１１０％の長さのゴム弾性ある広幅テープ５が、その中央を後身頃の背縫部分６に縫着した状態で、取り付けられていること、及び前記翼状の布４の表面とテープ５の裏面に、互いに係止するようにベルベット式ファスナー７ａが取り付けられていること、並びにフロントパネル１及び後身頃３がいずれも伸縮性ある布帛からなり、かつ、フロントパネル１が後身頃３の臀部中央部８に比して強力な弾性を有する構造になっていることを特徴とする産後ガードル。
【請求項２】
フロントパネル１と後身頃３の表面が同一の伸縮性ある編地からなり、フロントパネル１と後身頃３の腰部９と脚部周辺１０が、他の弾性布帛１２で裏打ちされ、弾性が増強されていることを特徴とする請求項１の産後ガードル。
【請求項３】
後身頃３の腰部９の、背縫部分６から左右に３〜８cmはなれた位置に、骨材１１が実質的にウエスト線に直角に取り付けられていることを特徴とする請求項1または２の産後ガードル。
【発明の詳細な説明】
【０００１】
【発明の属する技術分野】
本発明は、違和感なく装着でき、しかも産後の体型を美しくみせることができる産後ガードルに関する。
【０００２】
【従来の技術】
産後は、腹部が弛み、体型がくずれる。そこで、ガードルを使用して体型を整えようとするが、通常のガードルでは、徐々に変化する体型を、その変化に応じて常に美しく整えることは困難であった。
【０００３】
【発明が解決しようとする課題】
本発明は、産後の体型を、無理なく、常に美しく整えることができる産後ガードルを提供することを課題とする。
【０００４】
【課題を解決するための手段】
本発明では、ガードルを、前幅の４５〜８０％の幅のフロントパネルの両脇に、脇部と一体となった後身頃が取り付けたものとし、このフロントパネルの両脇に、脇部の上方を覆うように、ゴム弾性ある翼状の布が取り付け、かつ後幅の９０〜１１０％の長さのゴム弾性ある広幅テープを、その中央を後身頃の背縫部分に縫着した状態で、取り付け、更に、前記翼状の布の表面と広幅テープの裏面に、互いに係止するようにベルベット式ファスナーを取り付けることにより、上記課題を解決した。なお、フロントパネル及び後身頃はいずれも伸縮性ある布帛からなり、かつ、フロントパネルが後身頃の臀部中央部に比して強力な弾性を有する構造になっている。
【０００５】
かかるガードルを構成する布帛としては、通常のガードルに使用されるものがいずれも使用できるが、フロントパネルと後身頃の表面が同一の伸縮性ある編地からなり、フロントパネル及び後身頃の脚部周辺の少なくも一部を、他の弾性布帛で裏打ちされ、弾性が増強されているようにするのが好ましい。
【０００６】
なお、後身頃の腰部の、背縫部分から左右に３〜８cmはなれた位置に、骨材を実質的にウエスト線に直角に取り付けてもよく、かかる骨材の存在によって、ガードルによる腰部分の支持効果が増し、腰痛を解消したり、ウエスト部分のめくれを防止できる。
【０００７】
本発明では、着用後、フロントパネルの両脇に取り付けた翼状の布を後側に引き、背に取り付けたゴム弾性ある広幅テープを前側に引き寄せ、両者をベルベット式ファスナーで係止することにより、フロントパネルによる腹部の矯正が強く働き、ウエスト部分も常にしっかりと固定できる。前記テープは、通常５〜１５cm程度の幅のものを使用するのがよい。
【０００８】
フロントパネルの両脇に取り付けられる翼状の布は、上辺がウエスト位置で、下辺がフロントパネルの切替線の延長線上に位置するように形成することにより、フロントパネルと上記布及びそれと係止するテープの間に強い牽引力が働き、下腹部からウエスト迄の全体をしっかりとサポートすることができるものとなる。
【０００９】
なお、翼状の布及びテープに取り付けられるベルベット式ファスナーの一方は、単なるパイル地であってもよく、通常の翼状の布をフレンチパイルとするのがよい。
【００１０】
【発明の実施の形態】
次に、本発明の実施例を図面に従って説明する。
図１の例では、前幅の約５５％の幅のフロントパネル１の両脇に、脇部２と一体となった後身頃３が取り付けられ、フロントパネル１の両脇に、ゴム弾性あるフレンチパイルからなる翼状の布４が、脇部２の上方を覆うように取り付けられている。また、後身頃には、後幅の約９０％の長さのゴム弾性ある広幅テープ５が、その中央を後身頃の背縫部分６に縫着した状態で、取り付けられており、このテープ５の裏面には、上記布４の表面のパイル７ｂと係止するようにベルベット式ファスナー７ａが取り付けられている。
なお、フロントパネル１及び後身頃３はいずれも伸縮性ある編地からなるものであるが、この例では、後身頃の臀部中央部８は一重で柔軟性あるようになっているが、フロントパネル１と後身頃の腰部９と脚部周辺１０は、弾性布帛１２で裏打ちされ、弾性が増強されている。
【００１１】
本発明のガードルは、図２に示されるように、フロントパネル１の両脇に位置する翼状の布４と背中に位置する８cm幅のゴム弾性あるテープ５を体型に合わせてベルベット式ファスナー７ａで係止すると、矢印方向の力が働くので、腹部や腰部を引き締め常に美しく着用できる。
【００１２】
なお、後身頃の腰部９には、背縫部分６から左右に5.５cmはなれた位置に、骨材１１が実質的にウエスト線に直角となるように取り付けられているので、ウエスト部分のめくれを生ずることなく、しっかりと腰部分を保護した状態で、装着できる。
【００１３】
図３Ａ及びＢの例は、ヒップ裏打することにより、ヒップアップの効果を出すようにしたものであり、点線に沿って立体的に切替することにより、よりヒップラインを美しくできる。図３Ａの例は、ハイウエストの製品であるが、このようなデザインでは、クロッチカン１３を設け、クロッチカン１３の開閉で着脱を容易とするのが好ましい。
【００１４】
【発明の効果】
本発明のガードルは、弾性あるフロントパネル１と、その両側に設けたゴム弾性ある翼状の布４及び背縫部分６に取り付けられたゴム弾性ある広幅テープ５を特定の関係で設けたことによって、産後の体型の変化に応じて、常に、腹部を矯正した状態で、ウエスト部分にしっかりと固定して着用できる。また、後身頃の腰部９に骨材１１を取り付けることによって、ガードルによる腰部分の支持効果が増し、腰痛を解消したり、ウエスト部分のめくれを防止することもできる。
【図面の簡単な説明】
【図１】図１は、本発明の一例を示すもので、Ａは正面図、Ｂは背面図である。
【図２】図２は、本発明の異なる例を示す側面図で、Ａは装着を完成した状態を、Ｂは装着未完成の状態を示す。
【図３】図３は、本発明の異なる例を示す側面図である。
【符号の説明】
１    フロントパネル
２    脇部
３    後身頃
４    布
５    テープ
６    背縫部分
７ａ  ベルベット式ファスナー
７ｂ  パイル
８    臀部中央部
９    腰部
１０    脚部周辺
１１    骨材
１２    弾性布帛
１３    クロッチカン
【図１】
0004022337.tif 000002
【図２】
0004022337.tif 000003
【図３】
0004022337.tif 000004